(57)【要約】      （修正有）【課題】漏電しても害獣に衝撃を与える電圧を維持できる、電気柵および電気柵用電源装置を提供する。【解決手段】電気柵用電源装置２は、第１の柵線に約８，０００Ｖを有する第１の電圧を出力可能な第１の出力発生回路２１、および第２の柵線に約８，０００Ｖを有する第２の電圧を、第１の出力発生回路２１から独立して出力可能な第２の出力発生回路２２を有する。第１の出力発生回路２１は、第１の出力端子２１Ａと接続された第１の出力トランス２１Ｔと、第１の充放電用コンデンサ２１Ｃと、第１のサイリスタ２１Ｓを有する。第２の出力発生回路２２は、第２の出力端子２２Ａと接続された第２の出力トランス２２Ｔと、第２の充放電用コンデンサ２２Ｃと、第２のサイリスタ２２Ｓを有する。電気柵用電源装置２は、第１のサイリスタ２１Ｓと第２のサイリスタ２２Ｓとに接続されたトリガ信号発生回路２４を有する。【選択図】図２
0003193863.tif 000002
【実用新案登録請求の範囲】
【請求項１】
所定領域の周囲に形成された、導電性を有する第１の導電部材と、
該第１の導電部材が形成された領域と略同一領域に形成された、導電性を有する第２の導電部材と、
前記第１の導電部材に電気的に接続された、かつ、所定の電圧値を有する第１の電圧を同第１の導電部材に出力可能な第１の出力発生回路と、
前記第２の導電部材に電気的に接続された、かつ、所定の電圧値を有する第２の電圧を、前記第１の出力発生回路から独立して同第２の導電部材に出力可能な第２の出力発生回路とを備える
電気柵。
【請求項２】
前記第１の導電部材は、前記第２の導電部材の略鉛直方向下側に形成されており、
前記第１の電圧の電圧値は、前記第２の電圧の電圧値より高い
請求項１に記載の電気柵。
【請求項３】
前記第１の電圧を発生させるための信号である第１のトリガ信号を所定の周期で前記第１の出力発生回路に印加可能であると共に、前記第２の電圧を発生させるための信号である第２のトリガ信号を、前記第１のトリガ信号と同じ周期かつ同じ印加時期に前記第２の出力発生回路に印加可能なトリガ信号発生回路を備える
請求項１または請求項２に記載の電気柵。
【請求項４】
前記第１の電圧を発生させるための信号である第１のトリガ信号を所定の周期で前記第１の出力発生回路に印加可能な第１のトリガ信号発生回路と、
前記第２の電圧を発生させるための信号である第２のトリガ信号を、前記第１のトリガ信号と同じ周期で、かつ、前記第１のトリガ信号の印加時期と異なる時期に、前記第２の出力発生回路に印加可能な第２のトリガ信号発生回路とを備える
請求項１または請求項２に記載の電気柵。
【請求項５】
本体と、
所定領域の周囲に形成され導電性を有する第１の導電部材に電気的に接続される、かつ、所定の電圧値を有する第１の電圧を同第１の導電部材に出力可能であり、かつ、前記本体内に配置された第１の出力発生回路と、
前記第１の導電部材が形成される領域と略同一領域に形成され導電性を有する第２の導電部材に電気的に接続される、かつ、所定の電圧値を有する第２の電圧を、前記第１の出力発生回路から独立して同第２の導電部材に出力可能であり、かつ、同第１の出力発生回路が配置された前記本体内に配置された第２の出力発生回路とを備える
電気柵用電源装置。
【考案の詳細な説明】
【技術分野】
【０００１】
本考案は電気柵および電気柵用電源装置に関する。詳しくは、例えば、害獣から田畑を守るための電気柵および電気柵用電源装置に係るものである。
【背景技術】
【０００２】
山間の農業地域では、イノシシや鹿などの害獣が田畑へ侵入して、農作物を食い荒らしてしまう食害が多発している。
そこで、害獣の田畑への侵入を防止するために、田畑の周囲に防護柵が設置されている。
【０００３】
防護柵としては、フェンスや電気柵が用いられており、田畑への害獣侵入を防止する上で一定の成果を上げている。
【０００４】
電気柵は、田畑の周囲に張り巡らせた裸電線に、電源装置内の電圧発生器から発生した電圧が印加され、この裸電線に接触したイノシシや鹿などの野生動物を、印加された電圧の電撃によって撃退するための柵である。
【０００５】
そして、様々な電気柵が提案されている。例えば特許文献１には、図９に示すような電気柵が記載されている。
すなわち、特許文献１に記載の電気柵１００は、衝撃電圧発生装置１０１と、衝撃電圧発生装置１０１と出力線１０７を介して電気的に接続された第１の柵線１０３Ａと、第１の柵線１０３Ａと上下結線１０４を介して電気的に接続された第２の柵線１０３Ｂとを備える。
【０００６】
また、第１の柵線１０３Ａおよび第２の柵線１０３Ｂは、田畑の周囲に打設された支柱１１１に係止されて、田畑の周囲に張設されている。
また、衝撃電圧発生装置１０１は、電源装置１０１Ａと、電源装置１０１Ａと電気的に接続された衝撃電圧発生部１０１Ｂとを有する。
【０００７】
また、電源装置１０１Ａは電源トランスＴを有する。また、電源装置１０１Ａは、電源トランスＴの１次巻線端子１３５近傍、すなわち１次巻線の巻始め端と、２次巻線のマイナス側の端子１３７との間、および、１次巻線端子１３４近傍すなわち、１次巻線の巻終わり端と、２次巻線のマイナス側の端子１３７との間に接続された、それぞれ衝撃電圧吸収素子であるサージアブソーバ（Ｚ１、Ｚ２）を有する。
【先行技術文献】
【特許文献】
【０００８】
【特許文献１】特開２００５−１５１７４８号公報
【考案の概要】
【考案が解決しようとする課題】
【０００９】
しかしながら、特許文献１に記載の電気柵では、第１の柵線１０３Ａおよび第２の柵線１０３Ｂの少なくとも一方が弛んでしまい、どちらか一方でも地面に触れてしまうと、第１の柵線１０３Ａおよび第２の柵線１０３Ｂに印加されていた衝撃電圧は漏電してゼロになる。
【００１０】
なぜなら、第１の柵線１０３Ａと第２の柵線１０３Ｂは上下結線１０４で接続されて、一つながりであり、第２の柵線１０３Ｂから衝撃電流が地中に漏れるためである。
また、生長した多くの草が第２の柵線１０３Ｂに触れても、同様に第２の柵線１０３Ｂから衝撃電流が地中に漏れる。
【００１１】
そして、このように衝撃電圧が漏電してゼロになってしまうと、第１の柵線１０３Ａまたは第２の柵線１０３Ｂにイノシシなどの害獣が触れても、イノシシなどの害獣は衝撃を受けないので、イノシシなどの害獣は退散せずに、柵線で囲まれた田畑に侵入してしまう。
【００１２】
本考案は、以上の点に鑑みて創案されたものであり、漏電しても害獣に衝撃を与える電圧を維持できる、電気柵および電気柵用電源装置を提供することを目的とする。
【課題を解決するための手段】
【００１３】
上記の目的を達成するために、本考案の電気柵は、所定領域の周囲に形成された、導電性を有する第１の導電部材と、該第１の導電部材が形成された領域と略同一領域に形成された、導電性を有する第２の導電部材と、前記第１の導電部材に電気的に接続された、かつ、所定の電圧値を有する第１の電圧を同第１の導電部材に出力可能な第１の出力発生回路と、前記第２の導電部材に電気的に接続された、かつ、所定の電圧値を有する第２の電圧を、前記第１の出力発生回路から独立して同第２の導電部材に出力可能な第２の出力発生回路とを備える。
【００１４】
ここで、「所定の電圧値」とは、害獣に衝撃を与えることができる程度の電圧値を意味する。
また、第１の導電部材に電気的に接続された、かつ、所定の電圧値を有する第１の電圧を第１の導電部材に出力可能な第１の出力発生回路によって、第１の導電部材に接触した害獣に衝撃を与えることができる。
【００１５】
さらに、第２の導電部材に電気的に接続された、かつ、所定の電圧値を有する第２の電圧を、第１の出力発生回路から独立して第２の導電部材に出力可能な第２の出力発生回路によって、第２の導電部材に接触した害獣に衝撃を与えることができ、また、第１の導電部材または第２の導電部材から漏電しても、漏電していない導電部材に接触した害獣に衝撃を与えることができる。
【００１６】
また、本考案の電気柵において、第１の導電部材は、第２の導電部材の略鉛直方向下側に形成されており、第１の電圧の電圧値は、第２の電圧の電圧値より高いものとすることができる。
【００１７】
この場合、漏電して第１の導電部材の第１の電圧が低下しても、第２の導電部材の第２の電圧と同程度の電圧値を維持しやすくなる。
【００１８】
また、本考案の電気柵は、第１の電圧を発生させるための信号である第１のトリガ信号を所定の周期で第１の出力発生回路に印加可能であると共に、第２の電圧を発生させるための信号である第２のトリガ信号を、第１のトリガ信号と同じ周期かつ同じ印加時期に第２の出力発生回路に印加可能なトリガ信号発生回路を備えるものとすることができる。
【００１９】
この場合、第１の電圧および第２の電圧をパルス状にすることができるので、人が第１の導電部材や第２の導電部材に触れても、手を離すことができ安全である。
【００２０】
また、本考案の電気柵は、第１の電圧を発生させるための信号である第１のトリガ信号を所定の周期で前記第１の出力発生回路に印加可能な第１のトリガ信号発生回路と、第２の電圧を発生させるための信号である第２のトリガ信号を、第１のトリガ信号と同じ周期で、かつ、第１のトリガ信号の印加時期と異なる時期に、第２の出力発生回路に印加可能な第２のトリガ信号発生回路とを備えるものとすることができる。
【００２１】
この場合、害獣に衝撃を与えやすい。
【００２２】
また、上記の目的を達成するために、本考案の電気柵用電源装置は、本体と、所定領域の周囲に形成され導電性を有する第１の導電部材に電気的に接続される、かつ、所定の電圧値を有する第１の電圧を同第１の導電部材に出力可能であり、かつ、前記本体内に配置された第１の出力発生回路と、前記第１の導電部材が形成される領域と略同一領域に形成され導電性を有する第２の導電部材に電気的に接続される、かつ、所定の電圧値を有する第２の電圧を、前記第１の出力発生回路から独立して同第２の導電部材に出力可能であり、かつ、同第１の出力発生回路が配置された前記本体内に配置された第２の出力発生回路とを備える。
【００２３】
ここで、「所定の電圧値」とは、害獣に衝撃を与えることができる程度の電圧値を意味する。
また、所定の電圧値を有する第１の電圧を、所定領域の周囲に形成され導電性を有する第１の導電部材に出力可能である第１の出力発生回路によって、第１の導電部材に接触した害獣に衝撃を与えることができる。
【００２４】
また、所定の電圧値を有する第２の電圧を、第１の出力発生回路から独立して、第１の導電部材が形成される領域と略同一領域に形成され導電性を有する第２の導電部材に出力可能である第２の出力発生回路によって、第２の導電部材に接触した害獣に衝撃を与えることができ、また、第１の導電部材または第２の導電部材から漏電しても、漏電していない導電部材に接触した害獣に衝撃を与えることができる。
【考案の効果】
【００２５】
本考案に係る電気柵は、漏電しても害獣に衝撃を与える電圧を維持できる。
本考案に係る電気柵用電源装置は、漏電しても害獣に衝撃を与える電圧を維持できる。
【図面の簡単な説明】
【００２６】
【図１】本考案を適用した電気柵の一例を示す概略図である。
【図２】本考案を適用した電気柵用電源装置の回路の第１の実施態様を示す概略図である。
【図３】図２に示した回路における電圧印加の時期と電圧値の一例を示す概略図である。
【図４】本考案を適用した電気柵がイノシシに衝撃を与える様子の一例を示す概略図である。
【図５】本考案を適用した電気柵の柵線の一部が弛んで地面に接触した様子の一例を示す概略図である。
【図６】柵線の一部が弛んで地面に接触した状態の本考案を適用した電気柵がイノシシに衝撃を与える様子の一例を示す概略図である。
【図７】本考案を適用した電気柵用電源装置の回路の第２の実施態様を示す概略図である。
【図８】図７に示した回路における電圧印加の時期と電圧値の一例を示す概略図である。
【図９】従来の電気柵を示す概略図である。
【考案を実施するための形態】
【００２７】
以下、本考案の実施の形態について図面を参照しながら説明し、本考案の理解に供する。
図１は、本考案を適用した電気柵の一例を示す概略図である。また、図２は、本考案を適用した電気柵用電源装置の回路の第１の実施態様を示す概略図である。また、図３は、図２に示した回路における電圧印加の時期と電圧値の一例を示す概略図である。
【００２８】
図１に示す本考案の電気柵１は、所定領域例えば田畑領域の周囲に、一定の間隔で立設された複数の支柱５に取付けられた第１の碍子６に係止されて張設された第１の柵線３を備える。
また、第１の柵線３は裸電線である。ここで、第１の柵線は、導電性を有する第１の導電部材の一例である。
【００２９】
また、本考案の電気柵１は、同じく支柱５に取付けられた第２の碍子７に係止されて張設された第２の柵線４を備える。
また、第２の柵線４は裸電線である。ここで、第１の柵線は、導電性を有する第２の導電部材の一例である。
【００３０】
また、第２の柵線４は、第１の柵線３の略鉛直方向上側に、かつ、第１の柵線３から一定の長さで離して、第１の柵線３に対して略平行に配置されている。すなわち、第１の柵線３の方が、第２の柵線４よりも地面に近い。
【００３１】
また、本考案の電気柵１は、第１の柵線３に所定の電圧値例えば約８，０００Ｖを有する第１の電圧を出力可能であり、かつ、第２の柵線４に所定の電圧値例えば約８，０００Ｖを有する第２の電圧を出力可能な、本考案の電気柵用電源装置２を備える。
【００３２】
すなわち、本考案の電気柵用電源装置２は、第１の柵線３に所定の電圧値例えば約８，０００Ｖを有する第１の電圧を出力可能な第１の出力発生回路２１、および第２の柵線４に所定の電圧値例えば約８，０００Ｖを有する第２の電圧を、第１の出力発生回路２１から独立して出力可能な第２の出力発生回路２２を有する。
【００３３】
また、第１の出力発生回路２１および第２の出力発生回路２２は、本考案の電気柵用電源装置２の同じ本体内に配置されている。
【００３４】
また、本考案の電気柵用電源装置２は、第１の柵線３と第１の出力線８を介して電気的に接続された第１の出力端子２１Ａと、第２の柵線４と第２の出力線９を介して電気的に接続された第２の出力端子２２Ａとを有する。
【００３５】
このような構成の本考案の電気柵１は、図１に示すように、本考案の電気柵用電源装置２の第１の出力端子２１Ａから第１の出力線８を通って第１の柵線３に、矢印の方向に約８，０００Ｖを有する第１の電圧の衝撃電流を流す。
また、本考案の電気柵１は、図１に示すように、本考案の電気柵用電源装置２の第２の出力端子２２Ａから第２の出力線９を通って第２の柵線４に、矢印の方向に約８，０００Ｖを有する第２の電圧の衝撃電流を流す。
【００３６】
このように、第１の出力発生回路２１と第２の出力発生回路２２が互いに独立して、それぞれ第１の柵線３と第２の柵線４に、第１の電圧と第２の電圧を出力可能なので、本考案の電気柵１は第１の柵線３と第２の柵線４とを上下結線で接続していない。
【００３７】
また、本考案の電気柵用電源装置２は、地中１０に差し込まれたアース棒１１とアース線１２を介して電気的に接続されたアース端子２３を有する。
【００３８】
また、第１の出力発生回路２１は、第１の出力端子２１Ａと電気的に接続された第１の出力トランス２１Ｔを有する。すなわち、第１の出力トランス２１Ｔの２次巻線の一端が第１の出力端子２１Ａと電気的に接続されている。
【００３９】
また、第１の出力トランス２１Ｔの２次巻線の他端は、アース端子２３と電気的に接続されている。
【００４０】
また、第１の出力発生回路２１は、第１の出力トランス２１Ｔと電気的に接続された第１の充放電用コンデンサ２１Ｃを有する。
また、第１の出力発生回路２１は、第１の充放電用コンデンサ２１Ｃと第１の抵抗器２１Ｒとに電気的に接続された第１のサイリスタ２１Ｓを有する。
【００４１】
また、第２の出力発生回路２２は、第２の出力端子２２Ａと電気的に接続された第２の出力トランス２２Ｔを有する。すなわち、第２の出力トランス２２Ｔの２次巻線の一端が第２の出力端子２２Ａと電気的に接続されている。
【００４２】
第２の出力トランス２２Ｔの２次巻線の他端は、アース端子２３と電気的に接続されている。
【００４３】
また、第２の出力発生回路２２は、第２の出力トランス２２Ｔと電気的に接続された第２の充放電用コンデンサ２２Ｃを有する。
【００４４】
また、第２の出力発生回路２２は、第２の充放電用コンデンサ２２Ｃと第２の抵抗器２２Ｒとに電気的に接続された第２のサイリスタ２２Ｓを有する。
【００４５】
また、本考案の電気柵用電源装置２は、第１のサイリスタ２１Ｓと第２のサイリスタ２２Ｓとに電気的に接続されたトリガ信号発生回路２４を有する。
【００４６】
ここで、トリガ信号発生回路２４は、第１の電圧を発生させるための信号である第１のトリガ信号ｅ１を所定の周期例えば約１秒で第１の出力発生回路２１の第１のサイリスタ２１Ｓに印加可能である。
また、トリガ信号発生回路２４は、第２の電圧を発生させるための信号である第２のトリガ信号ｅ２を、第１のトリガ信号ｅ１と同じ周期かつ同じ印加時期に第２の出力発生回路２２の第２のサイリスタ２２Ｓに印加可能である。
【００４７】
また、本考案の電気柵用電源装置２は、第１の充放電用コンデンサ２１Ｃおよび第２の充放電用コンデンサ２２Ｃと電気的に接続された、第１の抵抗器２１Ｒおよび第２の抵抗器２２Ｒを有する。
【００４８】
また、本考案の電気柵用電源装置２は、直流（ＤＣ）電圧１２Ｖの電源２６と、電源２６と電気的に接続されたＤＣ−ＤＣコンバータ２５を有する。
また、トリガ信号発生回路２４は、電源２６およびＤＣ−ＤＣコンバータ２５に電気的に接続されている。
また、ＤＣ−ＤＣコンバータ２５は、第１の出力発生回路２１および第２の出力発生回路２２と電気的に接続されている。
【００４９】
次に、図２に示す回路の動作を説明する。
電源２６の直流電圧１２ＶがＤＣ−ＤＣコンバータ２５に印加され、ＤＣ−ＤＣコンバータ２５が直流電圧約３００Ｖに昇圧する。
【００５０】
昇圧された直流電圧約３００Ｖの電流は、第１の充放電用コンデンサ２１Ｃおよび第２の充放電用コンデンサ２２Ｃにそれぞれ流れ、第１の充放電用コンデンサ２１Ｃおよび第２の充放電用コンデンサ２２Ｃを電圧約３００Ｖまで充電する。
【００５１】
第１の充放電用コンデンサ２１Ｃの電圧Ｅ０１および第２の充放電用コンデンサ２２Ｃの電圧Ｅ０２がそれぞれ約３００Ｖに達したときに、トリガ信号発生回路２４は、約１秒周期で第１のサイリスタ２１Ｓに第１のトリガ信号ｅ１を印加し、これと同時に約１秒周期で第２のトリガ信号ｅ２を第２のサイリスタ２２Ｓに印加する。
【００５２】
すると、第１の充放電用コンデンサ２１Ｃから第１のサイリスタ２１Ｓへ向けて放電電流が流れ、第１の充放電用コンデンサ２１Ｃに充電されていた電圧は急激に放電される。
また同じく、第２の充放電用コンデンサ２２Ｃから第２のサイリスタ２２Ｓへ向けて放電電流が流れ、第２の充放電用コンデンサ２２Ｃに充電されていた電圧は急激に放電される。
【００５３】
そして、第１のサイリスタ２１Ｓへ流れた放電電流は、さらに第１の出力トランス２１Ｔの１次巻線へ急激に流れ、この放電電流によって第１の出力トランス２１Ｔの２次巻線側に、約８，０００Ｖの電圧値を有するパルス状の第１の電圧Ｖ０１が印加される。
また同じく、第２のサイリスタ２２Ｓへ流れた放電電流は、さらに第２の出力トランス２２Ｔの１次巻線へ急激に流れ、この放電電流によって第２の出力トランス２２Ｔの２次巻線側に、約８，０００Ｖの電圧値を有するパルス状の第２の電圧Ｖ０２が印加される。
【００５４】
以上の動作を、図３を参照しながら説明すると、第１のトリガ信号ｅ１および第２のトリガ信号ｅ２をそれぞれ、第１のサイリスタ２１Ｓおよび第２のサイリスタ２２Ｓに印加したときに、約３００Ｖに達していた、第１の充放電用コンデンサ２１Ｃの電圧Ｅ０１および第２の充放電用コンデンサ２２Ｃの電圧Ｅ０２が急激に低下する。
【００５５】
一方、第１の充放電用コンデンサ２１Ｃの電圧Ｅ０１および第２の充放電用コンデンサ２２Ｃの電圧Ｅ０２の急激な低下に対応して、第１の電圧Ｖ０１および第２の電圧Ｖ０２が急激に約８，０００Ｖに上昇する。
このような電圧の変化が、第１のトリガ信号ｅ１および第２のトリガ信号ｅ２を印加する周期である約１秒間隔で繰り返される。
【００５６】
図４は、本考案を適用した電気柵がイノシシに衝撃を与える様子の一例を示す概略図である。また、図５は、本考案を適用した電気柵の柵線の一部が弛んで地面に接触した様子の一例を示す概略図である。また、図６は、柵線の一部が弛んで地面に接触した状態の本考案を適用した電気柵がイノシシに衝撃を与える様子の一例を示す概略図である。
【００５７】
本考案の電気柵１が、第１の柵線３に、矢印の方向に約８，０００Ｖを有する第１の電圧の衝撃電流を流し、また、第２の柵線４に、矢印の方向に約８，０００Ｖを有する第２の電圧の衝撃電流を流している状態において、第１の柵線３または第２の柵線４にイノシシ１３が接触する。
ここで、イノシシは害獣の一例である。
【００５８】
すると、イノシシ１３は、約８，０００Ｖを有する第１の電圧の衝撃電流または、約８，０００Ｖを有する第２の電圧の衝撃電流を受けて退散する。
このとき、図４の矢印の方向に第１の電圧の衝撃電流や第２の電圧の衝撃電流が流れるからである。
【００５９】
すなわち、イノシシ１３が第１の柵線３に接触すると、第１の出力端子２１Ａ、第１の出力線８、第１の柵線３、イノシシ１３、地中１０、アース棒１１、アース線１２、そしてアース端子２３の順に第１の電圧の衝撃電流が流れる。
【００６０】
また、イノシシ１３が第２の柵線４に接触すると、第２の出力端子２２Ａ、第２の出力線９、第２の柵線４、イノシシ１３、地中１０、アース棒１１、アース線１２、そしてアース端子２３の順に第２の電圧の衝撃電流が流れる。
【００６１】
また、図５は、本考案の電気柵１の、第１の柵線３の一部および第２の柵線４の一部が弛んで、第１の柵線３が地面に接触した様子を示している。
【００６２】
このように第１の柵線３が地面に接触すると、第１の柵線３に流れていた第１の電圧の衝撃電流は地中に漏れるため、第１の柵線３の第１の電圧はゼロになる。
【００６３】
しかし、第１の出力発生回路２１と第２の出力発生回路２２が互いに独立して、それぞれ第１の柵線３と第２の柵線４に、第１の電圧と第２の電圧を出力しており、第１の柵線３と第２の柵線４とは上下結線で接続されていないので、第２の柵線４の第２の電圧は維持されている。
【００６４】
そして、このように第１の柵線３の一部および第２の柵線４の一部が弛んで、第１の柵線３が地面に接触した状態の、本考案の電気柵１の第２の柵線４にイノシシ１３が接触する。
【００６５】
すると、イノシシ１３は、約８，０００Ｖを有する第２の電圧の衝撃電流を受けて退散する。このとき、図６の矢印の方向に第２の電圧の衝撃電流が流れるからである。
なお、イノシシ１３は、第１の柵線３に接触しても第１の電圧の衝撃電流を受けない。
【００６６】
すなわち、イノシシ１３が第２の柵線４に接触すると、第２の出力端子２２Ａ、第２の出力線９、第２の柵線４、イノシシ１３、地中１０、アース棒１１、アース線１２、そしてアース端子２３の順に第２の電圧の衝撃電流が流れる。
【００６７】
図７は、本考案を適用した電気柵用電源装置の回路の第２の実施態様を示す概略図である。また、図８は、図７に示した回路における電圧印加の時期と電圧値の一例を示す概略図である。
【００６８】
図７に示す本考案の電気柵用電源装置２は、第１の柵線に所定の電圧値例えば約８，０００Ｖを有する第１の電圧を出力可能な第１の出力発生回路２１、および第２の柵線に所定の電圧値例えば約８，０００Ｖを有する第２の電圧を、第１の出力発生回路２１から独立して出力可能な第２の出力発生回路２２を有する。
【００６９】
また、第１の出力発生回路２１および第２の出力発生回路２２は、本考案の電気柵用電源装置２の同じ本体内に配置されている。
【００７０】
また、第１の出力発生回路２１は、第１の出力端子２１Ａと電気的に接続された第１の出力トランス２１Ｔを有する。すなわち、第１の出力トランス２１Ｔの２次巻線の一端が第１の出力端子２１Ａと電気的に接続されている。
【００７１】
また、第１の出力トランス２１Ｔの２次巻線の他端は、アース端子２３と電気的に接続されている。
【００７２】
また、第１の出力発生回路２１は、第１の出力トランス２１Ｔと電気的に接続された第１の充放電用コンデンサ２１Ｃを有する。
また、第１の出力発生回路２１は、第１の充放電用コンデンサ２１Ｃと第１の抵抗器２１Ｒとに電気的に接続された第１のサイリスタ２１Ｓを有する。
【００７３】
また、第２の出力発生回路２２は、第２の出力端子２２Ａと電気的に接続された第２の出力トランス２２Ｔを有する。すなわち、第２の出力トランス２２Ｔの２次巻線の一端が第２の出力端子２２Ａと電気的に接続されている。
【００７４】
第２の出力トランス２２Ｔの２次巻線の他端は、アース端子２３と電気的に接続されている。
【００７５】
また、第２の出力発生回路２２は、第２の出力トランス２２Ｔと電気的に接続された第２の充放電用コンデンサ２２Ｃを有する。
【００７６】
また、第２の出力発生回路２２は、第２の充放電用コンデンサ２２Ｃと第２の抵抗器２２Ｒとに電気的に接続された第２のサイリスタ２２Ｓを有する。
【００７７】
また、図７に示す本考案の電気柵用電源装置２は、第１のサイリスタ２１Ｓと電気的に接続された第１のトリガ信号発生回路２４Ａ、および第２のサイリスタ２２Ｓと電気的に接続された第２のトリガ信号発生回路２４Ｂを有する。
【００７８】
ここで、第１のトリガ信号発生回路２４Ａは、第１の電圧を発生させるための信号である第１のトリガ信号ｅ１を所定の周期例えば約１秒で第１の出力発生回路２１の第１のサイリスタ２１Ｓに印加可能である。
【００７９】
また、第２のトリガ信号発生回路２４Ｂは、第２の電圧を発生させるための信号である第２のトリガ信号ｅ２を、第１のトリガ信号ｅ１と同じ周期例えば約１秒で、かつ、第１のトリガ信号ｅ１の印加時期と異なる時期例えば約０．５秒ずらして、第２の出力発生回路２２の第２のサイリスタ２２Ｓに印加可能である。
【００８０】
また、図７に示す本考案の電気柵用電源装置２は、第１の充放電用コンデンサ２１Ｃと電気的に接続された第１の抵抗器２１Ｒおよび第２の充放電用コンデンサ２２Ｃと電気的に接続された第２の抵抗器２２Ｒを有する。
【００８１】
また、本考案の電気柵用電源装置２は、直流電圧１２Ｖの電源２６と、電源２６と電気的に接続されたＤＣ−ＤＣコンバータ２５を有する。
また、第１のトリガ信号発生回路２４Ａおよび第２のトリガ信号発生回路２４Ｂは、電源２６およびＤＣ−ＤＣコンバータ２５に電気的に接続されている。
また、ＤＣ−ＤＣコンバータ２５は、第１の出力発生回路２１および第２の出力発生回路２２と電気的に接続されている。
【００８２】
次に、図７に示す回路の動作を説明する。
電源２６の直流電圧１２ＶがＤＣ−ＤＣコンバータ２５に印加され、ＤＣ−ＤＣコンバータ２５が直流電圧約３００Ｖに昇圧する。
【００８３】
昇圧された直流電圧約３００Ｖの電流は、第１の充放電用コンデンサ２１Ｃおよび第２の充放電用コンデンサ２２Ｃにそれぞれ流れ、第１の充放電用コンデンサ２１Ｃおよび第２の充放電用コンデンサ２２Ｃを電圧約３００Ｖまで充電する。
【００８４】
第２のトリガ信号発生回路２４Ｂが、第２のサイリスタ２２Ｓに第２のトリガ信号ｅ２を印加して約０．５秒後に、第１のトリガ信号発生回路２４Ａが、第１のサイリスタ２１Ｓに第１のトリガ信号ｅ１を印加する。
【００８５】
また、第１のトリガ信号発生回路２４Ａが第１のトリガ信号ｅ１を印加する周期と、第２のトリガ信号発生回路２４Ｂが第２のトリガ信号ｅ２を印加する周期は同じであり、約１秒である。
【００８６】
第２のサイリスタ２２Ｓに第２のトリガ信号ｅ２が印加されると、第２の充放電用コンデンサ２２Ｃから第２のサイリスタ２２Ｓへ向けて放電電流が流れ、第２の充放電用コンデンサ２２Ｃに充電されていた電圧は急激に放電される。
【００８７】
そして、第２のサイリスタ２２Ｓへ流れた放電電流は、さらに第２の出力トランス２２Ｔの１次巻線へ急激に流れ、この放電電流によって第２の出力トランス２２Ｔの２次巻線側に、約８，０００Ｖの電圧値を有するパルス状の第２の電圧Ｖ０２が印加される。
【００８８】
また、第１のサイリスタ２１Ｓに第１のトリガ信号ｅ１が印加されると、第１の充放電用コンデンサ２１Ｃから第１のサイリスタ２１Ｓへ向けて放電電流が流れ、第１の充放電用コンデンサ２１Ｃに充電されていた電圧は急激に放電される。
【００８９】
そして、第１のサイリスタ２１Ｓへ流れた放電電流は、さらに第１の出力トランス２１Ｔの１次巻線へ急激に流れ、この放電電流によって第１の出力トランス２１Ｔの２次巻線側に、約８，０００Ｖの電圧値を有するパルス状の第１の電圧Ｖ０１が印加される。
【００９０】
以上の動作を、図８を参照しながら説明すると、第２のトリガ信号ｅ２を第２のサイリスタ２２Ｓに印加したときに、約３００Ｖに達していた第２の充放電用コンデンサ２２Ｃの電圧Ｅ０２が急激に低下する。
【００９１】
一方、第２の充放電用コンデンサ２２Ｃの電圧Ｅ０２の急激な低下に対応して、第２の電圧Ｖ０２が急激に約８，０００Ｖに上昇する。
【００９２】
第２のトリガ信号ｅ２を第２のサイリスタ２２Ｓに印加して約０．５秒後、第１のトリガ信号ｅ１を第１のサイリスタ２１Ｓに印加したときに、約３００Ｖに達していた第１の充放電用コンデンサ２１Ｃの電圧Ｅ０１が急激に低下する。
【００９３】
一方、第１の充放電用コンデンサ２１Ｃの電圧Ｅ０１の急激な低下に対応して、第１の電圧Ｖ０１が急激に約８，０００Ｖに上昇する。
【００９４】
さらに、第１のトリガ信号ｅ１を第１のサイリスタ２１Ｓに印加して約０．５秒後、第２のトリガ信号ｅ２を第２のサイリスタ２２Ｓに再び印加する。
このような電圧の変化が交互に繰り返される。
【００９５】
このように第１のトリガ信号の印加と第２のトリガ信号の印加を互いに同じ周期で、かつ、約０．５秒ずらして行うことで、約０．５秒ごとに第１の柵線３と第２の柵線４に交互に約８，０００Ｖの電圧の衝撃電流が流れるので、第１のトリガ信号の印加と第２のトリガ信号の印加を互いに同じ周期かつ同じ印加時期に行う場合よりも、イノシシ１３に衝撃を与えやすい。
【００９６】
ここで、本考案の電気柵は、必ずしも第１の電圧の電圧値と第２の電圧の電圧値を同じにしなくてもよい。
例えば、第２の導電部材の略鉛直方向下側に形成された第１の導電部材に出力される第１の電圧の方を高くすることで、雑草などが第１の導電部材に接触して漏電し、第１の電圧が低下しても、第２の導電部材の第２の電圧と同程度の電圧値を維持しやすくなる。
【００９７】
また、本考案の電気柵は、必ずしもトリガ信号発生回路を備えていなくてもよい。
しかし、本考案の電気柵がトリガ信号発生回路を備えていれば、第１の電圧および第２の電圧をパルス状にすることができるので、人が第１の導電部材や第２の導電部材に触れても、手を離すことができ安全であり、好ましい。
【００９８】
また、第１の柵線と第２の柵線の２つの柵線を備える電気柵を例に挙げて説明したが、必ずしも柵線は２つでなくてもよく、本考案の電気柵は、３つ以上の柵線を備えていてもよいことは勿論である。
その場合、本考案の電気柵は、柵線の数に対応した数の出力発生回路を備える。
【００９９】
以上のように、本考案の電気柵および本考案の電気柵用電源装置は、第１の導電部材に電気的に接続された、かつ、所定の電圧値を有する第１の電圧を第１の導電部材に出力可能な第１の出力発生回路を備えているので、第１の導電部材に接触した害獣に衝撃を与えることができる。
【０１００】
また、本考案の電気柵および本考案の電気柵用電源装置は、第２の導電部材に電気的に接続された、かつ、所定の電圧値を有する第２の電圧を、第１の出力発生回路から独立して第２の導電部材に出力可能な第２の出力発生回路を備えているので、第２の導電部材に接触した害獣に衝撃を与えることができ、また、第１の導電部材または第２の導電部材から漏電しても、漏電していない導電部材に接触した害獣に衝撃を与えることができる。
【０１０１】
従って、本考案の電気柵および本考案の電気柵用電源装置は、漏電しても害獣に衝撃を与える電圧を維持できる。
【０１０２】
また、本考案の電気柵は、各柵線に電圧を出力しているので上下結線が不要である。その結果、本考案の電気柵を設置する際に、上下結線を接続する手間と時間を省くことができる。また、本考案の電気柵を撤収する際も、上下結線の取外しの手間と時間を省くことができる。
【符号の説明】
【０１０３】
１    電気柵
２    電気柵用電源装置
３    第１の柵線
４    第２の柵線
５    支柱
６    第１の碍子
７    第２の碍子
８    第１の出力線
９    第２の出力線
１０    地中
１１    アース棒
１２    アース線
１３    イノシシ
２１    第１の出力発生回路
２１Ａ  第１の出力端子
２１Ｃ  第１の充放電用コンデンサ
２１Ｓ  第１のサイリスタ
２１Ｔ  第１の出力トランス
２１Ｒ  第１の抵抗器
２２    第２の出力発生回路
２２Ａ  第２の出力端子
２２Ａ  第２の出力端子
２２Ｃ  第２の充放電用コンデンサ
２２Ｓ  第２のサイリスタ
２２Ｔ  第２の出力トランス
２２Ｒ  第２の抵抗器
２３    アース端子
２４    トリガ信号発生回路
２４Ａ  第１のトリガ信号発生回路
２４Ｂ  第２のトリガ信号発生回路
２５    ＤＣ−ＤＣコンバータ
２６    電源
【図１】
0003193863.tif 000003
【図２】
0003193863.tif 000004
【図３】
0003193863.tif 000005
【図４】
0003193863.tif 000006
【図５】
0003193863.tif 000007
【図６】
0003193863.tif 000008
【図７】
0003193863.tif 000009
【図８】
0003193863.tif 000010
【図９】
0003193863.tif 000011